(57)【要約】【課題】  金庫部内の紙幣残量が少ないと判断された場合、金庫部内の収納紙幣を一旦繰り出して計数して正確な残枚数による釣り札判別を行い、この判別に基づいて高額紙幣の受付禁止処理を行う紙幣処理装置及び紙幣処理方法を提供する。【解決手段】  ニアエンドが発生した場合（Ｓ１４のＹ）、釣り札の状態を把握するために、計数処理を実施し、計数有効フラグをオンにセットする（Ｓ１５）。その後、取引を実施し、釣り札不足が発生した場合は（Ｓ１６のＹ）、釣り札の出金ができないため、高額紙幣受付禁止にして（Ｓ１７）、次の取引待機処理を行う。なお、ニアエンドが発生しても釣り札不足が発生していない場合は（Ｓ１６のＮ）、高額紙幣受付許可にし（Ｓ１８）、次の取引待機処理に移行する。なお、取引実施中（Ｓ１０）に異常発生又は金庫部扉開が検知された場合は（Ｓ１１のＹ）、金庫部６内の収納紙幣枚数が不確実な状態であるため、起動／リセット処理を行う。【選択図】  図４
2007079843.tif 000002
【特許請求の範囲】
【請求項１】
高額紙幣受付の許可又は禁止機能を有し、紙幣の入金及び出金可能な紙幣処理装置であって、
入金紙幣と出金紙幣が出入りする入出金部と、
前記入出金部に供給された複数金種の紙幣を一括して集積部に取り込み、この集積部から１枚毎に分離して繰り出す分離部と、
この分離部によって繰り出された前記紙幣を往復搬送可能な搬送部と、
この搬送部によって往路搬送された前記紙幣を判別する鑑査部と、
この鑑査部の判別結果に基づいて前記紙幣を金種毎に集積する一時集積部と、
この一時集積部に集積された紙幣束を取引毎に収納する収納部と、
前記収納部に収納された前記紙幣束をバックアッププレートに積載して、紙幣の繰り出し位置まで移動するとき、前記バックアッププレートの通過を検知するバックアッププレート検知部と、
前記紙幣の繰り出し位置に前記紙幣束の上端が到達したのを検知する繰出位置検知部と、
前記バックアッププレート検知部及び前記繰出位置検知部から前記紙幣束の残量が所定の値以下になったのを検知するニアエンド検知部と、
前記バックアッププレートに積載された紙幣束を１枚ずつ前記搬送部に繰り出して復路搬送し、計数して前記集積部に集積し、この集積された紙幣束を再度前記収納部に収納する計数処理手段と、
前記計数値を比較判別する釣り札判別手段と、
前記ニアエンド検知部によってニアエンドが検知されたとき、前記計数処理手段によって紙幣束の枚数を計数すると共に前記計数有効フラグ設定手段によって計数有効フラグをオンにし、かつ、前記計数処理手段によって計数された計数値が前記釣り札判別手段による判別の結果所定の値に達していないとき高額紙幣の受付を禁止にし、又は前記釣り札判別手段による判別の結果所定の値に達しているとき高額紙幣の受付を許可する制御手段と、
を備えたことを特徴とする紙幣処理装置。
【請求項２】
前記制御手段は、
装置の起動時、前記紙幣の計数に関わる異常、又は前記一時集積部及び前記収納部を備えた金庫部が開閉されたとき、前記計数値、及び前記計数有効フラグをオフすること特徴とする請求項１記載の紙幣処理装置。
【請求項３】
前記制御手段は、
前記計数有効フラグがオンのとき前記取引に応じて前記計数値を加減算する枚数管理処理を実行し、この枚数管理処理の実行の結果得られた計数値が前記釣り札判別手段による判別の結果所定の値に達していないとき高額紙幣の受付を禁止にし、又は前記釣り札判別手段による判別の結果所定の値に達しているとき高額紙幣の受付を許可することを特徴とする請求項１又は請求項２記載の紙幣処理装置。
【請求項４】
前記ニアエンド検知部は、
前記紙幣束を積載したバックアッププレートが上昇し、前記バックアッププレート検知手段によって検知されてから起動するタイマーを備え、このタイマー値が所定の時間に達するまでの間に、前記紙幣束の上端が前記繰出位置検知部によって検知されたとき前記紙幣束の残量が所定の値以下であるニアエンドとすることを特徴とする請求項１記載の紙幣処理装置。
【請求項５】
高額紙幣受付の許可又は禁止機能を有し、紙幣の入金及び出金可能な紙幣処理装置であって、
装置の起動時、又は前記入出金時の前記紙幣の計数に関わる異常、又は前記一時集積部及び前記収納部を備えた金庫部が開閉されたとき、計数有効フラグをオフにする第1工程と、
この第1工程終了後、金庫に収納されている紙幣のニアエンドチェックを行う第２工程と、
この第２工程の結果、ニアエンドであれば計数処理を実施し、かつ計数有効フラグをオンにする第３工程と、
この第３工程による計数処理の結果、釣り札不足を判別する第４工程と、
この第４工程の判別の結果、釣り札不足の場合は高額紙幣の受付を禁止し、釣り札不足が発生していない場合は高額紙幣の受付を許可する第５工程と、
を有することを特徴とする紙幣処理方法。
【請求項６】
紙幣の入金及び出金の取引待機時に取引が実施されたとき、前記計数有効フラグがオンのときは枚数管理を実施する第６工程と、
この第６工程による枚数管理の結果、釣り札不足を判別する第７工程と、
この第７工程の判別の結果、釣り札不足の場合は高額紙幣の受付を禁止し、釣り札不足が発生していない場合は高額紙幣の受付を許可する第８工程と、
を有することを特徴とする請求項５記載の紙幣処理方法。
【発明の詳細な説明】
【技術分野】
【０００１】
本発明は、主に駅の券売機などに搭載される紙幣を入出金する紙幣処理装置に関し、特に、釣り札不足の発生を抑えた紙幣処理装置及び紙幣処理方法に関する。
【背景技術】
【０００２】
従来、駅の券売機などに搭載される紙幣などの紙幣処理装置は、入金時に入出金口より挿入された紙幣を一括して集積部に取り込み、この集積部に取り込まれた紙幣を分離ローラによって分離し、1枚ずつ一定間隔で搬送路に繰り出す。搬送路に繰り出された紙幣は、搬送路によって搬送され、鑑査部の金種判定に従って各金種別にスタッカ（金庫）に収納される。一方出金時には、上記スタッカから1枚ずつ取り出した紙幣を集積部に搬送して集積し、入出金口に一括して排出する（例えば特許文献１参照）。
【０００３】
以下、図５に示す金庫の従来例を参照しながら説明する。金庫部６００には、バックアッププレート６５０が設けられており、このバックアッププレート６５０の上に紙幣Ｐが集積されている（以下、紙幣Ｐが集積されたものを紙幣束Ｈと称する。）。この紙幣束Ｈの厚みを計測するために、繰出ローラ６３Ａ０の位置を検知する繰出ローラ位置検知センサ６３Ｅ０と、バックアッププレート検知センサ６９０が設けられている。
【０００４】
繰出ローラ６３Ａ０は、回転することによって紙幣束Ｈの上端の紙幣Ｐを図示矢印Ｄ方向に繰り出すとともに、繰り出す紙幣Ｐを検知する接触子を兼ねており、繰出ローラ６３Ａ０が押し上げられることによって、繰出ローラ６３Ａ０に連結されている繰出ローラアーム６３Ｂ０が支点６３Ｃ０を軸として回動し、先端の検出子６３Ｄ０が光学式検知センサ６３Ｅ０により検知される。このことによって、紙幣束Ｈの上端の紙幣Ｐが繰出ローラ６３Ａ０の位置にあることが検知される。
【０００５】
バックアッププレート検知センサ６９０は、光学式センサで構成されており、バックアッププレート６５０の通過を検知する。
【０００６】
従来、バックアッププレート６５０に積載されている紙幣束Ｈの枚数が少なくなったことを示すニアエンド検知は、バックアッププレート６５０を図示矢印Ｂ方向に上昇させ、バックアッププレート検知センサ６９０がバックアップ６５０を検知してから、さらに所定の時間上昇させその間に繰出ローラ６３Ａ０が紙幣束Ｈの上端紙幣Ｐを検知した場合に紙幣束Ｈの厚さが所定の厚さ以下の状態であるためニアエンド状態であると判別している。
【０００７】
図５（１）は、紙幣束Ｈの厚さが十分ありニアエンド状態になっていない場合を示す。一方、図５（２）は、紙幣束Ｈの厚さが薄く、バックアッププレート６５０がバックアッププレート検知センサ６９０に検知されてから所定の時間さらに上昇する間に紙幣束Ｈ上端の紙幣Ｐが繰出ローラ６３Ａ０に検知された状態を示す。
【０００８】
従来、上述したように、繰出ローラ位置検知センサ６３Ｅ０及びバックアッププレート検知センサ６９０によって当該バックアッププレート６５０に積載されている紙幣束Ｈの厚さが判別されていた。この紙幣束Ｈの厚さ判別によって収納紙幣の枚数がある程度少なくなったと判断された場合（釣り札不足）、釣り札不足の発生を防ぐために高額紙幣の受付を禁止する運用が行われていた。例えば、千円の収納枚数が少なくなったと判断された場合には、釣り札不足の発生を防ぐために高額紙幣の受付を禁止していた。
【特許文献１】特開２００３−３０８５５３号公報  （第１頁、図１）
【発明の開示】
【発明が解決しようとする課題】
【０００９】
しかしながら、上述した従来の紙幣束Ｈの厚み検知方法では、紙幣の状態や収納状態によって検知枚数にばらつきが発生する。また、本来釣り札の出金に十分対応できる枚数が残っていても高額紙幣の受付禁止処理が働いてしまい、装置の稼働率が低下するという問題があった。
【００１０】
この問題に対応するために、金庫内に収納されている紙幣枚数を予め設定し、枚数管理することによって、正確な残枚数を把握する方法がある。しかしながら、この場合、あらかじめ金庫にセットされる多量の釣り札準備金を計数して記憶させる手段が必要になる。また、金庫に直接手差しで紙幣の補給を行ったり、あるいは紙幣詰まりなどで紙幣を除去したりする場合に、枚数の補正、又は計数のやり直しを実施する手段が必要になり、処理効率が悪く、操作性が煩わしいという問題があった。
【００１１】
本発明は、上記問題を解決するためになされたもので、金庫部内の紙幣枚数がある程度少なくなったと判断された場合（ニアエンド時）、金庫部内の収納紙幣を一旦繰り出して計数し、その後金庫部に再収納することにより、正確な残枚数による釣り札判別を行い、この判別に基づいて高額紙幣の受付禁止処理を行うことができるので、操作性がよく、装置の稼働率が向上する紙幣処理装置及び紙幣処理方法を提供することを目的とする。
【課題を解決するための手段】
【００１２】
上記目的を達成するために、本発明の請求項１記載の紙幣処理装置は、高額紙幣受付の許可又は禁止機能を有し、紙幣の入金及び出金可能な紙幣処理装置であって、入金紙幣と出金紙幣が出入りする入出金部と、前記入出金部に供給された複数金種の紙幣を一括して集積部に取り込み、この集積部から１枚毎に分離して繰り出す分離部と、この分離部によって繰り出された前記紙幣を往復搬送可能な搬送部と、この搬送部によって往路搬送された前記紙幣を判別する鑑査部と、この鑑査部の判別結果に基づいて前記紙幣を金種毎に集積する一時集積部と、この一時集積部に集積された紙幣束を取引毎に収納する収納部と、前記収納部に収納された前記紙幣束をバックアッププレートに積載して、紙幣の繰り出し位置まで移動するとき、前記バックアッププレートの通過を検知するバックアッププレート検知部と、出金用に、前記紙幣の繰り出し位置に前記紙幣束の上端が到達したのを検知する繰出位置検知部と、前記バックアッププレート検知部及び前記繰出位置検知部から前記紙幣束の残量が所定の値以下になったのを検知するニアエンド検知部と、前記バックアッププレートに積載された紙幣束を１枚ずつ前記搬送部に繰り出して復路搬送し、計数して前記集積部に集積し、この集積された紙幣束を再度前記収納部に収納する計数処理手段と、前記計数値を比較判別する釣り札判別手段と、前記ニアエンド検知部によってニアエンドが検知されたとき、前記計数処理手段によって紙幣束の枚数を計数すると共に前記計数有効フラグ設定手段によって計数有効フラグをオンにし、かつ、前記計数処理手段によって計数された計数値が前記釣り札判別手段による判別の結果所定の値に達していないとき高額紙幣の受付を禁止にし、又は前記釣り札判別手段による判別の結果所定の値に達しているとき高額紙幣の受付を許可する制御手段と、を備えたことを特徴とする。
【００１３】
また、本発明の請求項５記載の紙幣処理方法は、高額紙幣受付の許可又は禁止機能を有し、紙幣の入金及び出金可能な紙幣処理装置であって、装置の起動時、又は前記入出金時の前記紙幣の計数に関わる異常、又は前記一時集積部及び前記収納部を備えた金庫部が開閉されたとき、計数有効フラグをオフにする第1工程と、この第1工程終了後、金庫に収納されている紙幣のニアエンドチェックを行う第２工程と、この第２工程の結果、ニアエンドであれば計数処理を実施し、かつ計数有効フラグをオンにする第３工程と、この第３工程による計数処理の結果、釣り札不足を判別する第４工程と、この第４工程の判別の結果、釣り札不足の場合は高額紙幣の受付を禁止し、釣り札不足が発生していない場合は高額紙幣の受付を許可する第５工程と、を有することを特徴とする。
【発明の効果】
【００１４】
本発明によれば、金庫内の紙幣枚数がある程度少なくなったと判断された場合（ニアエンド時）、金庫部内の収納紙幣を一旦繰り出して計数し、その後金庫部に再収納することにより、正確な残枚数による釣り札判別を行い、この判別に基づいて高額紙幣の受付禁止処理を行うことができるので、操作性がよく、装置の稼働率が向上する。
【発明を実施するための最良の形態】
【００１５】
以下、図面を参照して本発明の実施例を説明する。
【実施例】
【００１６】
図１は、本発明の実施例による紙幣処理装置（以下、装置と称する。）の概略図である。本装置は、主に駅の券売機などに搭載されるユニットで、利用券購入に伴う紙幣の入金、及び入金された金額に伴って釣り札を出金する装置である。
【００１７】
本装には、入金紙幣と出金紙幣が出入りする入出金部１、及びこの入出金部１から入金された紙幣束を一括して取り込む集積部２が設けられている。
【００１８】
集積部２は、最大５０枚までの一括入金及び出金可能に構成されている。この集積部２には、取り込まれた紙幣束から紙幣Ｐを１枚ずつ分離して搬送部４に繰り出す分離部３が設けられており、紙幣Ｐが一定間隔に1枚ずつ搬送部４に繰り出される。
【００１９】
搬送部４は、集積部２と入出金する紙幣が収納されている金庫部６〜１０を連結するもので、搬送ローラ（図示しない）、搬送ベルト（図示しない）、分岐ゲート（図示しない）及びこれらを駆動する駆動モータ（図示しない）などで構成され、当該搬送路４に繰り出された紙幣Ｐの往復搬送が可能である。
【００２０】
搬送部４の途中は、搬送される紙幣Ｐの金種判別及び真偽判別を行う鑑査部５が設けられている。この鑑査部５の判別結果に基づいて金種毎に区分された紙幣Ｐは、金庫部６〜１０に収納される。なお、入出金部１、集積部２、分離部３、搬送部４、及び金庫部６〜１０は、制御部１１に接続される。この制御部１１は、ＣＰＵ（Central Processing Unit）１１Ａ及びメモリ１１Ｂで構成され、このＣＰＵ１１Ａによって制御される。
【００２１】
以上の構成に基づき、入金時に入出金部１に入金された紙幣束は、1枚ずつ分離して往路搬送され、鑑査部５の判別結果に基づいて金庫部６〜１０に収納される。
【００２２】
一方、出金時には、金庫部６〜１０から1枚ずつ繰り出された紙幣を集積部２に搬送し、入出金部１に一括して出金する。
【００２３】
図２は、図１に示す紙幣処理装置に使用される金庫部６の構成図である。金庫部６〜１０は取り扱う金種毎にサイズが異なる場合や、取り扱う紙幣の流通量が金種によって異なるため、紙幣を収納する部分の大きさが異なる場合があるが、基本的には同一の構成をしているため、ここでは、一例として金庫部６の構成及び動作を説明する。
【００２４】
金庫部６には、一時集積部６６、収納部６７、繰出部兼繰出位置検知部６３、バックアッププレート検知部６９、及び金庫扉開閉検知６０が設けられている。  
一時集積部６６には、入金時に図示矢印Ｃ方向に搬送されてくる紙幣Ｐを集積するバックアッププレート６５が設けられている。この一時集積部６６に集積する紙幣Ｐが複数枚ある場合には、先に集積された紙幣Ｐの後端が羽根車６５Ａの回転によってめくられ、バックアッププレート６５との間に押し込まれる。従って、後続する紙幣Ｐは、下側から押し込まれて図示矢印Ｂで示す方向に集積される。
【００２５】
このようにして入金が確定すると、バックアッププレート６５によって押し上げられ、セパレータ６８を押しのけて収納部６７に押し込まれる。なお、バックアッププレート６５上の残留紙幣は残留紙幣検知６５Ａによって行われる。
【００２６】
セパレータ６８は、搬送方向に直行する両端部に設けられた２枚の細長い板状体で、長手方向に軸支され、観音開き扉を構成しており、下部からの押圧力によって観音開き扉が軸を中心に回動して開状態になる。また、押圧力が無くなると内部に組み込まれたバネ力による復帰力によって閉状態になる。本実施例では、紙幣Ｐは図示矢印Ｃ方向に長手搬送されており、バックアッププレート６５によって、その上に積載された紙幣束Ｈが押し上げられる（上昇する）と、上述したように、バックアッププレート６５は、紙幣束Ｈを積載した状態でセパレータ６８を押しのけることになる。その結果、入金された紙幣束Ｈはセパレータ６８の底側から押し込まれて収納部６７に積載される。
【００２７】
繰出部兼繰出位置検知部６３は、紙幣Ｐを繰り出す繰出部、及び紙幣Ｐの繰り出し位置を検知する繰出位置検知部から構成される。
【００２８】
繰出部は、紙幣Ｐを繰り出す繰出ローラ６３Ａ、及びこの繰出ローラ６３Ａの繰り出し位置を設定するロータリーソレノイド６３Ｆから構成される。このロータリーソレノイドは、繰出ローラ６３Ａを上下に移動し、紙幣Ｐが一定で１枚ずつ取り出されるようにする。
【００２９】
繰出位置検知部は、繰出ローラ６３Ａ、この繰出ローラ６３Ａが支点６３Ｃを中心に回動可能に支える繰出ローラアーム６３Ｂ、この繰出ローラアーム６３Ｂに連結し、繰出ローラ６３Ａの上下移動に連動して動く検出子６３Ｄ、及びこの検出子６３Ｄを光学的に検知する検知センサ６３Ｅで構成される。
【００３０】
このような構成により、紙幣束Ｈ上端の紙幣Ｐが繰出ローラ６３Ａを下から持ち上げると、紙幣Ｐが繰り出し位置に到達していることが検知される。この検知によって、繰出ローラ６３Ａによって紙幣Ｐが繰り出される。
【００３１】
分離部６１は、出金時バックアッププレート６５に積載された紙幣束Ｈ上端の紙幣Ｐを図示矢印Ｄ方向に搬送するために右回転する繰出ローラ６１Ａ、及びこの繰出ローラ６１Ａの搬送路の相対抗する位置に配置された分離ローラ６１Ｂで構成される。この分離ローラ６１Ｂは、繰出ローラ６１Ａのローラ表面に接触して配置され、紙幣Ｐが1枚ずつ挟持されて搬送されているときには、図示矢印Ｅで示すように右回転している繰出ローラ６１Ａに連れ回って左回転する。しかしながら、紙幣Ｐが複数枚繰り出された場合には、分離ローラ６１Ｂに備えられたトルクリミッタ（図示しない）が動作し、図示矢印Ｆで示すように右回転する。このようにして、紙幣Ｐは1枚ずつ分離して取り出され、図示矢印Ｄ方向に搬送される。
【００３２】
バックアッププレート検知部６９は、光学式検知センサを備えており、出金時、セパレータ６８に積載された紙幣束Ｈが紙幣の繰り出し位置まで移動（この場合、上昇になる。）する際、上昇するバックアッププレート６５の通過を検知する。なお、バックアッププレート６５がバックアッププレート検知部６９によって検知される前に、バックアッププレート６５に積載された紙幣束Ｈの上端が繰出ローラ６３Ａによって検知された場合は、バックアッププレートの上昇を止める。その後の処理は出金時の動作で説明する。
【００３３】
図２は、上述したように金庫部６の扉（図示しない）を開けた正面図を示しており、金庫部６の扉を閉めると図で見えている部分が扉で覆われ見えない状態になる。金庫扉開閉検知６０は、扉に付属するフックが扉の開閉によって出入りするのを検知する。
【００３４】
次に、以上のように構成された金庫部６の出金時の動作を説明する。  
出金時、収納紙幣束Ｈの上端は、バックアッププレート６５によって繰出ローラ６３Ａの高さまで押し上げられる。繰出ローラ６３Ａが押し上げられることによって、繰出ローラ６３Ａに連結されている繰出ローラアーム６３Ｂが支点６３Ｃを軸として回動し、先端の検出子６３Ｄが光学式検知センサ６３Ｅにより検知される。このことによって、紙幣束Ｈの上端が繰出ローラ６３Ａの位置にあることが検知される。繰出ローラ６３Ａは、右回転し、紙幣束Ｈの上端から指定された枚数分、1枚ずつ繰り出す。同時に、繰出ローラ６３Ａによって繰り出された紙幣Ｐは分離部６１の繰出ローラ６１Ａ及び分離ローラ６１Ｂによって１枚毎に分離されて繰り出される。
【００３５】
繰出ローラ６３Ａによって紙幣Ｐが１枚ずつ繰り出された場合、繰出ローラ６１Ａは上述したように図示矢印Ｅで示す右回転（正転）して紙幣Ｐを繰り出し、分離ローラ６１Ｂは繰出ローラ６１Ａに連れ回り左回転（正転）する。
【００３６】
一方、繰出ローラ６３Ａによって紙幣Ｐが複数枚繰り出された場合、繰出ローラ６１Ａは右回転（正転）して紙幣Ｐを繰り出そうとし、分離ローラ６１Ｂは繰出ローラ６１Ａと分離ローラ６１Ｂの間に紙幣Ｐが複数枚入り込んだことによるトルクを検知して図示矢印Ｆで示すように右回転（逆回転、）する。その結果、紙幣Ｐは１枚ずつに分離されて図示矢印Ｄで示す搬送部に繰り出される。
【００３７】
バックアッププレート６５に積載されている紙幣束Ｈの残量はニアエンド検知及び残留紙幣検知６８Ｂによって検知される。このニアエンド検知は、バックアッププレート６５を図示矢印Ｂ方向に上昇させることにより、バックアッププレート検知センサ６９がバックアッププレート６５を検知すると、タイマー（図示しない）が起動され、このタイマー値が所定の時間に達するまでの間に、紙幣束Ｈの上端が繰出部兼繰出位置検知部６３の繰出ローラ６３Ａによって検知されたとき、紙幣束Ｈの残量（厚さ）が所定の量以下であるためニアエンドであると検知する。また。残留紙幣検知６８Ｂは、紙幣繰り出し位置でのバックアッププレート６５上の紙幣Ｐが空になったことを検知するセンサである。
【００３８】
次に、図３を参照して、本発明の釣り札処理フローの起動／リセット処理を説明する。この処理は、制御部１１のＣＰＵによって制御される。以下、例えば金庫部６について説明するが、他の金庫部に付いても同様である。
【００３９】
まず、電源投入直後、紙幣詰まりなどの異常発生後、又は金庫扉の開閉検知後など、金庫部６内の収納紙幣枚数が不確実な状態になった場合には、計数有効フラグをオフにし（第１工程、Ｓ１）、収納紙幣のニアエンドチェックを行う（第２工程、Ｓ２）。
【００４０】
この時ニアエンドであれば（Ｓ２のＹ）、計数処理を実施して計数情報を記憶し、計数有効フラグをオンにする（計数有効フラグ設定手段）、（第３工程、Ｓ３）。
【００４１】
この結果、計数有効フラグはオン状態であるから（Ｓ４のＹ）、その記憶された計数情報を元に釣り札不足判別を行う（第４工程、Ｓ５）。
【００４２】
この釣り札不足判別による判別の結果、釣り札が不足していれば（Ｓ５のＹ）、釣り札の出金を行うことが出来ないため、高額紙幣の受付を禁止して取引待機にする。一方、釣り札不足判別による判定の結果、釣り札不足が発生していなければ（Ｓ５のＮ）、高額紙幣の受付は許可状態として取引待機にする（第５工程、Ｓ７）。
【００４３】
なお、ステップＳ２のニアエンドチャックにおいて、ニアエンド状態でない場合（Ｓ２のＮ）、計数有効フラグオフ（図ではオフと記載、以下同様）のまま（Ｓ４のＮ）、高額紙幣受付許可として取引待機となる。
【００４４】
次に、図４を参照して、本発明の釣り札処理フローの取引待機処理を説明する。以下、例えば金庫部６について説明するが、他の金庫部７〜１０についても同様である。
【００４５】
まず、取引待機中に取引（入金又は出金）が実施される（Ｓ１０）。
【００４６】
この取引実施中に異常状態又は金庫扉開が検知されず（Ｓ１１のＮ）、金庫部６にも釣り札が十分あり、計数有効フラグがオフ状態で（Ｓ１２のＮ）、ニアエンドも発生していなければ（Ｓ１４のＮ）、通常の状態なので、高額紙幣受付許可状態（Ｓ１８）のまま取引が行われる。
【００４７】
一方、ステップＳ１４において、ニアエンドが発生した場合（Ｓ１４のＹ）、釣り札の状態を正確に把握するために、計数処理を実施し、計数有効フラグをオンにセットする（Ｓ１５）。
【００４８】
その後、取引を実施し、釣り札不足を判別する（第７工程、Ｓ１６）。この釣り札不足判別の結果、釣り札不足が発生した場合は（Ｓ１６のＹ）、釣り札の出金ができないため、高額紙幣受付禁止にし（Ｓ１７）、次の取引待機処理を行う。なお、釣り札不足が発生していない場合は（Ｓ１６のＮ）、高額紙幣受付許可にし（Ｓ１８）、次の取引待機処理に移行する（第８工程）。
【００４９】
ステップＳ１１において、取引実施中に異常状態又は金庫扉開が検知された場合は（Ｓ１１のＹ）、金庫部６内の収納紙幣枚数が不確実な状態であるため、図３に示す起動／リセット処理に移行する。
【００５０】
また、取引実施中に異常状態又は金庫扉開が検知されず（Ｓ１１のＮ）、計数有効フラグがオン状態（Ｓ１２のＹ）であれば、金庫部６は枚数管理状態にあり、枚数が管理されているため、例えば出金があれば、管理された枚数から出金された枚数が減算（枚数管理）されて記憶される（第６工程、Ｓ１３）。
【００５１】
以上の処理によって、収納枚数をあらかじめ手入力で設定する必要もなく、金庫に手差しで直接紙幣を補充したり紙幣詰まりを除去したりした際に、枚数情報を補正しなければならないわずらわしさも解消される。また、紙幣束の厚み検知等の物理的な検知方法によって収納枚数がある程度少なくなったことを検知してから計数を行うため、計数にかかる処理時間が短くて済む。さらに計数時に金庫から繰り出した紙幣の一時的な格納部の収納容量も少なくて済むため、装置の小型化がはかれる。例えば図１に示す紙幣処理装置の場合、集積部２を一時的な格納場所として利用して計数処理を行うことが可能である。こうした場合、釣り札の最大枚数が千円９枚であることと、集積部２の最大容量が５０枚であることから、金庫部内紙幣枚数の物理的な方法による検知精度（ニアエンドの検知精度）は９〜５０枚の範囲程度で良いことになる。
【図面の簡単な説明】
【００５２】
【図１】本発明の実施例による紙幣処理装置の概略図。
【図２】図１に示す紙幣処理装置に使用される金庫の構成図。
【図３】本発明の釣り札処理フローにおける起動／リセット時の処理。
【図４】本発明の釣り札処理フローにおける取引待機時の処理。
【図５】紙幣処理装置の金庫部動作を説明する従来例。
【符号の説明】
【００５３】
１  入出金部
２  集積部
３  分離部
４  搬送部
５  鑑査部
６〜１０金庫部
１１  制御部
６０  金庫扉開閉検知
６１  分離部
６１Ａ  繰出ローラ
６１Ｂ  分離ローラ
６３  繰出部兼繰出位置検知部
６３Ａ  繰出ローラ
６３Ｅ  検知センサ
６５  バックアッププレート
６５Ａ  残留紙幣検知
６６  一時集積部
６７  収納部
６８  セパレータ
６８Ａ、６８Ｂ  残留紙幣検知
６９  バックアッププレート検知センサ
【図１】
2007079843.tif 000003
【図２】
2007079843.tif 000004
【図３】
2007079843.tif 000005
【図４】
2007079843.tif 000006
【図５】
2007079843.tif 000007